(57)【特許請求の範囲】
【請求項１】
カテゴリ別に設定情報のエントリを格納するキューと、
前記キューに格納されている設定情報のエントリを検索するエントリ検索手段と、
新たな設定情報を受信したとき、新たな設定情報のエントリを作成して登録するエントリ作成登録手段とを備え、
新たな設定情報を受信したとき、前記検索手段は、新たな設定情報のエントリと同一カテゴリのエントリの登録の有無を検索し、新たな設定情報のエントリと同一カテゴリのエントリが既に登録されている場合は、新たな設定情報のエントリの登録を不可とし、新たな設定情報のエントリと同一カテゴリのエントリが登録されていない場合は、新たな設定情報のエントリの登録を可能として、前記エントリ作成登録手段により新たな設定情報のエントリを登録し前記キューに格納し、電源がＯＦＦされるとき、キューに格納された、新たな設定情報のエントリが保存され、次の電源ＯＮ時にその保存された新たな設定情報に基づいて画像形成装置が起動される
ことを特徴とするネットワークカード。
【請求項２】
新たな設定情報のエントリの登録を不可としたとき、新たな設定情報の設定元に登録不可の通知をする設定不可通知手段を備えることを特徴とする請求項１記載のネットワークカード。
【請求項３】
カテゴリ別に設定情報のエントリを格納するキューと、前記キューに格納されている設定情報のエントリを検索するエントリ検索手段と、新たな設定情報を受信したとき、新たな設定情報のエントリを作成して登録するエントリ作成登録手段とを備え、
新たな設定情報を受信したとき、前記検索手段は、新たな設定情報のエントリと同一カテゴリのエントリの登録の有無を検索し、新たな設定情報のエントリと同一カテゴリで異なる設定元のエントリが既に登録されている場合は、新たな設定情報のエントリの登録を不可とし、新たな設定情報のエントリと同一カテゴリのエントリが登録されていない場合と、新たな設定情報のエントリと同一カテゴリで同一設定元のエントリが既に登録されている場合は、新たな設定情報のエントリの登録を可能として、前記エントリ作成登録手段により新たな設定情報のエントリを登録し前記キューに格納し、電源がＯＦＦされるとき、キューに格納された、新たな設定情報のエントリが保存され、次の電源ＯＮ時にその保存された新たな設定情報に基づいて画像形成装置が起動されることを特徴とするネットワークカード。
【請求項４】
新たな設定情報のエントリの登録を不可としたとき、新たな設定情報の設定元に登録不可の通知をする設定不可通知手段を備えることを特徴とする請求項３記載のネットワークカード。
【請求項５】
カテゴリ別に設定情報の設定優先度を付したエントリを格納するキューと、
前記キューに格納されている設定情報の設定優先度を付したエントリを検索するエントリ検索手段と、
新たな設定情報を受信したとき、新たな設定情報の設定優先度を付したエントリを作成して登録するエントリ作成登録手段と、
キューに格納されている設定情報の設定優先度を付したエントリを削除するエントリ削除手段とを備え、
新たな設定情報を受信したとき、前記検索手段は、新たな設定情報の設定優先度を付したエントリと同一カテゴリのエントリの登録の有無を検索し、新たな設定情報の設定優先度を付したエントリと同一カテゴリのエントリが登録されていない場合は、新たな設定情報の設定優先度を付したエントリの登録を可能として前記エントリ作成登録手段により新たな設定情報のエントリを登録して前記キューに格納し、新たな設定情報の設定優先度を付したエントリと同一カテゴリのエントリが既に登録されている場合は、新たな設定情報のエントリの設定優先度が既に登録されているエントリの設定優先度より低いときは、新たな設定情報のエントリの登録を不可とし、新たな設定情報のエントリの設定優先度が既に登録されているエントリの設定優先度より高いときは、前記エントリ削除手段により既に登録されているエントリを削除し、新たな設定情報の設定優先度を付したエントリの登録を可能として、前記エントリ作成登録手段により新たな設定情報の設定優先度を付したエントリを登録し前記キューに格納し、電源がＯＦＦされるとき、キューに格納された、新たな設定情報のエントリが保存され、次の電源ＯＮ時にその保存された新たな設定情報に基づいて画像形成装置が起動されることを特徴とするネットワークカード。
【請求項６】
新たな設定情報の設定優先度を付したエントリの登録を不可とした場合、新たな設定情報の設定元に新たな設定情報の設定優先度を付したエントリの登録の不可を通知する設定不可通知手段を備えることを特徴とする請求項５記載のネットワークカード。
【発明の詳細な説明】
【０００１】
【発明の属する技術分野】
本発明は、情報機器をネットワークに接続して、その情報機器とネットワーク上のノード（接続中継点）との間のデータの送受を可能にするネットワークカードに関する。
【０００２】
【従来の技術】
従来から、情報機器をネットワークに接続するためのネットワークカードの設定は、複数の設定元（例えば、ネットワーク上のＰＣ、情報機器の操作パネルなど）から可能であり、それぞれの設定元からの設定情報は、設定元にかかわらずネットワークカードの不揮発性メモリにシーケンシャルに保存されるのが一般的である。
【０００３】
しかしながら、従来の技術によれば、ほぼ同時に、複数のユーザが異なる設定元からネットワークカードに同一の設定情報（例えば、ＴＣＰ／ＩＰ・プロトコルのＩＰアドレス）を設定する場合、最直近に保存されたＩＰアドレスだけが有効となるため、それぞれのユーザは意図どおりにＩＰアドレスが設定されたかどうかを知ることができない。もし、ＩＰアドレスがユーザの意図どおりに設定されていなければ、設定操作をしたにもかかわらず情報機器を使用できない等の障害を引き起こす危険性がある。また、複数のユーザが異なる設定元から、同一カテゴリで異なるオブジェクトの設定情報（例えば、ＴＣＰ／ＩＰ・プロトコルのＩＰアドレスとゲートウェイ）を設定する場合、ＩＰアドレスとゲートウェイの設定値に不整合が起こり、ネットワーク障害を発生させる危険性がある。
【０００４】
【発明が解決しようとする課題】
本発明は、かかる点に鑑みてなされたものであり、その目的とするところは、ほぼ同時に、複数のユーザが異なる設定元からネットワークカードに同一カテゴリの設定情報で設定操作をした場合でも、ネットワークカードの使用不能などのネットワーク障害を回避することができるネットワークカードを提供することにある。
【０００５】
【課題を解決するための手段】
本発明は、新たな設定情報を受信したとき、新たな設定情報のエントリ（新規エントリ）を作成し、その新規エントリと同一カテゴリのエントリの登録の有無を検索し、新規エントリと同一カテゴリのエントリが登録されていない場合は新規エントリの登録を可能とし、新規エントリと同一カテゴリのエントリが既に登録されている場合は新規エントリの登録を不可として、新規エントリの設定元に設定不可を通知するものである。
【０００６】
本発明は、新たな設定情報を受信したとき、新たな設定情報のエントリ（新規エントリ）を作成し、その新規エントリと同一カテゴリのエントリの登録の有無を検索し、新規エントリと同一カテゴリのエントリが登録されていない場合と、新規エントリと同一カテゴリのエントリが既に登録されている場合であっても同一設定元のエントリである場合は、新規エントリの登録を可能とし、新規エントリと同一カテゴリで異なる設定元のエントリが登録されている場合は、新規エントリの登録を不可として、新たな設定情報の設定元に設定不可を通知するものである。
【０００７】
本発明は、設定優先度を付した設定情報を受信したとき、新たな設定情報のエントリ（新規エントリ）を作成し、その新規エントリと同一カテゴリのエントリの登録の有無を検索し、新規エントリと同一カテゴリのエントリが登録されていない場合は、新規エントリの登録を可能とし、新規エントリと同一カテゴリのエントリが既に登録されている場合は、新規エントリの設定優先度が既に登録されているエントリの設定優先度より低いときは新規エントリの登録を不可とし、新規エントリの設定優先度が既に登録されているエントリの設定優先度より高いときは既に登録されているエントリを削除し新規エントリを登録可能とし、新たな設定情報のエントリと同一カテゴリのエントリが既に登録されている場合は、新規エントリの登録を不可として新規エントリの設定元に設定不可を通知するものである。
【０００８】
【発明の実施の形態】
図１を用いて、本発明における、情報機器（印刷装置１）をネットワーク９上のノード（接続中継点）に接続するためのネットワークカード３の概要を説明する。
【０００９】
図１において、印刷装置１は、プリンタ部２及びネットワークカード３を備えている。プリンタ部２は、ＣＰＵ、ＲＡＭ、ＲＯＭなどからなる制御部４、プリンタエンジン部５、及び操作部６などから構成されており、その制御部４はプリンタ部２およびネットワークカード３の全般的なコントロールを行うものであって、ネットワークカード3から受信した印字データを解析しプリンタエンジン部5に送信するなど、ネットワークカード3とプリンタエンジン部５との間のデータの送受を行うものである。また、プリンタエンジン部５はネットワークカード3から受信した印字データを記録紙に印字するものであり、さらに、操作部6は複数の操作ボタンと表示部を備え、印刷装置1全体の各種設定を行うものである。
【００１０】
一方、ネットワークカード3は、ＣＰＵ、ＲＡＭ、ＲＯＭ、ＦＬＡＳＨメモリから構成される制御部7を備え、その制御部7はネットワーク９上にあるＰＣ（パーソナルコンピュータ）８とのデータの送受、及びプリンタ部２とのデータの送受を行うものである。例えば、印刷動作について、ネットワーク９上のＰＣ８から印刷装置１を使用して印刷を行う場合は、ネットワークカード３がＰＣ８からの印刷設定情報の内容を解析し判断して印字データをプリンタエンジン部５に送信し、プリンタエンジン部５が受信した印字データの印刷処理を行う。また、プリンタ部２の操作部６から印刷装置１を使用して印刷を行う場合は、ネットワークカード３が操作部６からの印刷設定情報の内容を分析し判断して印字データをプリンタエンジン部５に送信し、プリンタエンジン部５が受信した印字データの印刷処理を行う。
【００１１】
［第１の実施の形態］
図２乃至図７を用いて、本発明の第１の実施の形態について説明する。図２は、印刷装置１のプリンタ部２、ネットワークカード３の制御部４，７の機能を示すブロック図である。図２において、ネットワークカード３の制御部７は、エントリ作成部１２、エントリ検索部１３、設定不可通知部１４、エントリ登録部１５、キュー保存部１６（以上、図１の制御部７内のＲＯＭに配置されている）、キュー１７（図１の制御部７内のＲＡＭに配置されている）、及び記憶部１８（図１の制御部７内のＦＬＡＳＨメモリに配置されている）を備えており、内部バス２０を経由して各部間のデータの送受を行うとともに、内部バス１９，２０を経由してプリンタ部２及びネットワーク上のＰＣ８などとデータの送受の制御を行う部分である。
【００１２】
エントリ作成部１２は、プリンタ部２の操作部６あるいはネットワーク９上のＰＣ８において設定操作された設定情報を受信したとき、その設定情報のエントリ（新規エントリ）を作成する部分であり、キュー１７は登録された設定情報のエントリを一時的に格納する部分であって、図４に示すように構成されている。
【００１３】
エントリ検索部１３は、キュー１７に格納されているエントリから新規エントリと同一カテゴリのエントリの有無を検索し、新規エントリと同一カテゴリで設定元が異なるエントリが既に格納されている場合は新規エントリの登録を不可とし、新規エントリと同一カテゴリのエントリが格納されていない場合と、格納されているエントリが新規エントリと同一カテゴリのエントリであっても同一設定元のエントリである場合は、その新規エントリの登録を可能としてキュー１７に格納する部分である。
【００１４】
設定不可通知部１４は、設定操作をした設定元へ、その設定情報を登録することが不可であることを通知する部分である。
【００１５】
エントリ登録部１５は、エントリ検索部１３において登録を可能とされた新規エントリを登録しキュー１７に格納する部分であり、キュー保存部１６は、印刷装置１の電源（図示しない）をＯＦＦにする時にキュー１７に格納されているエントリをＦＬＡＳＨメモリ（不揮発性メモリ）である記憶部１８に保存する部分である。
【００１６】
印刷装置１は、次ぎの電源ＯＮ時に記憶部１８に保存されているエントリの設定情報に基づいて起動され印字動作が行われる。
【００１７】
図２において、プリンタ部２の制御部４は、プリンタエンジン部５、操作部６、制御部４内の制御及びデータの送受を行うプリンタコントロール部１０、及びネットワークカード３の制御及びデータの送受を行うネットワークコントロール部１１から構成されており、内部バス１９を経由して制御部４内でのデータの送受、及び内部バス１９，２０を経由してネットワークカード３の制御、およびデータの送受を行うものである。
【００１８】
ここで、図３を用いて、設定情報のエントリの構成について説明する。図３に示すとおり、エントリは、設定元、カテゴリ名、オブジェクト名、設定値から構成される。設定元は、設定情報の入力元であり、プリンタ部２の操作部６およびネットワーク９上のＰＣ８などである。そして、カテゴリ名は、プロトコルの種類を表し、ＴＣＰ／ＩＰ、ＮｅｔＷａｒｅ、ＡｐｐｌｅＴａｌｋなどである。また、オブジェクト名は、それぞれのプロトコルにおける種々の設定項目を表し、カテゴリＴＣＰ／ＩＰのオブジェクトはＩＰアドレス、サブネットマスク、ゲートウェイなど、カテゴリＮｅｔＷａｒｅのオブジェクトはファイルサーバ、コンテキスト、動作モードなど、カテゴリＡｐｐｌｅＴａｌｋのオブジェクトはゾーン名、プリンタ名などである。さらに、設定値は、それぞれのオブジェクトに対して実際に設定される値である。
【００１９】
次に、図５および図６のフローチャートを用いて、図２に示す本発明のネットワークカード３の設定情報保存フローについて説明する。まず、印刷装置１のプリンタ部２の操作部６あるいはネットワーク９上にあるＰＣ８で設定操作が行われると、設定情報を受信したエントリ作成部１２は、その設定情報のエントリ（新規エントリ）を作成する（ステップＳ１１）。そして、新規エントリを受信したエントリ検索部１３は、新規エントリと同一カテゴリに対するエントリが既に登録されているかどうかを検索し（ステップＳ１２）、同一カテゴリのエントリが既に登録されているかどうかを判断し（ステップＳ１３）、新規エントリと同一カテゴリのエントリが登録されていない場合は、新規エントリが登録可能となりエントリ登録部１５によって新規エントリを登録して（ステップＳ１４）、キュー１７に格納する。また、新規エントリと同一カテゴリのエントリが既に登録されている場合は、その登録されているエントリの設定元が新規エントリの設定元と同一であれば（ステップＳ１６）、新規エントリは登録可能となりエントリ登録部１５によって新規エントリを登録して（ステップＳ１４）キュー１７に格納し、異なっていれば（ステップＳ１６）、設定不可通知部１４によって新規エントリの設定元へ設定不可を通知する（ステップＳ１５）。
【００２０】
そして、設定操作が終了した後、印刷装置１の電源がＯＦＦされるとき、キュー保存部１６はキュー１７に格納されている新規エントリを記憶部１８に保存する（図６、ステップＳ２１）。
【００２１】
上述の設定情報保存フロー動作の一例として、Ａさんが印刷装置１の操作部６から、Ｂさんがネットワーク９上のＰＣ８から、ほぼ同時に、それぞれ設定操作を行う場合について、図２，５，７を用いて説明する。いま、Ａさんが印刷装置１の操作部６から設定情報、例えばカテゴリＴＣＰ／ＩＰのオブジェクトであるＩＰアドレスを１９２．１６８．２．１０（図３、設定情報、参照）に設定した場合、まず、エントリ作成部１２において新規エントリが作成され（ステップＳ１１）、エントリ検索部１３においてキュー１７内のエントリを検索した（ステップＳ１２）結果、新規エントリのＴＣＰ／ＩＰというカテゴリに対し他の設定元（ユーザ）がエントリ登録をしていない（ステップＳ１３）ので、Ａさんの新規エントリが登録可能となりエントリ登録部１５によって登録されて（ステップＳ１４）キュー１７に格納される。
【００２２】
次に、Ｂさんがネットワーク９上のＰＣ８から設定情報、例えばカテゴリＴＣＰ／ＩＰのオブジェクトであるサブネットマスクを２５５．２５５．０．０（図３、設定情報、参照）に設定した場合、エントリ作成部１２において新規エントリが作成され（ステップＳ１１）、エントリ検索部１３においてキュー１７内のエントリを検索した（ステップＳ１２）結果、新規エントリのＴＣＰ／ＩＰというカテゴリに対して異なる設定元（Ａさん）が既にエントリ登録をしている（ステップＳ１６）ので、新規エントリは登録不可となり設定不可通知部１４によりＢさんに設定不可が通知され（ステップＳ１５）、Ｂさんの新規エントリはキュー１７に格納されない。
【００２３】
さらに、Ｂさんがネットワーク上９のＰＣ８からカテゴリＮｅｔＷａｒｅのオブジェクトであるファイルサーバをＦｉｌｅＳｅｒｖｅｒ（図３、設定情報、参照）に設定操作をした場合、エントリ作成部１２において新規エントリが作成され（ステップＳ１１）、エントリ検索部１３においてキュー１７内のエントリを検索した（ステップＳ１２）結果、新規エントリのＮｅｔＷａｒｅというカテゴリに対して他の設定元（ユーザ）がエントリ登録をしていない（ステップＳ１３）ので、Ｂさんの新規エントリが登録可能となりエントリ登録部１５により登録され（ステップ１４）キュー１７に格納される。
【００２４】
その後、印刷装置１の電源がＯＦＦされるとき、キュー１７に格納された２つのエントリが記憶部１８に保存される。そして、それら保存されたエントリの設定情報に基づいて、次の印刷装置１の起動時に各種の設定がなされる。
【００２５】
以上のような設定情報保存フロー動作において、ステップＳ１３における判断結果が、同一カテゴリに対するエントリが登録されていない場合（Ｎｏ）のみ、ステップ１４において新規エントリを登録するというフロー動作（すなわち、ステップＳ１５、１６を削除したフロー）、および、ステップＳ１３における判断結果が、同一カテゴリに対するエントリが既に登録されている場合（Ｙｅｓ）、直ちにステップ１５において新規エントリの設定元へ設定不可を通知するというフロー動作（すなわち、ステップ１６を削除したフロー）も、この第１の実施の態様の一つである。
【００２６】
上述した第１の実施の形態によれば、複数の異なる設定元（ユーザ）から、同一カテゴリに対して設定操作を行っても、ネッットワークカードの設定が不適当になり、ネットワークカードが使用できない等のネットワーク障害を回避することができるとともに、設定情報の異なるカテゴリに対して設定操作を行う場合は、複数の異なる設定元からの設定情報を設定することが可能となるため、ネットカードの設定が効率良く行うことができ、ユーザの利便性を向上することができる。また、設定元（ユーザ）からの設定情報の設定操作に対して、その設定情報の設定が不可能である場合は、設定不可の通知をすることができるため、ユーザは設定元で行った設定が意図どおりに行われたかどうかを知ることができる。
【００２７】
［第２の実施の形態］
図８乃至図１１を用いて、第２の実施の形態を説明する。図８に示す印刷装置１は、図２に示す印刷装置１における、ネットワークカード３の制御部７に、エントリ削除部２１を追加したものである。図８において、エントリ削除部２１は、キュー１７に格納されているエントリの削除を行う部分であり、図１に示すネットワークカード３の制御部７内のＲＯＭに配置されている。そして、ネットワークカード３のエントリ作成部１２で作成される設定情報のエントリの構成は、図９に示すとおりであって、第１の実施の態様を説明するためのエントリ構成（図３、参照）に設定優先度を追加したものである。この設定優先度は設定情報の新規エントリを登録可能とするときの優先度を表すものであり、本実施の形態では数値の大きいものほど設定優先度が高いものとしている。
【００２８】
図１０のフローチャートを用いて、図８に示す本発明のネットワークカード３の設定情報保存フローについて説明する。まず、印刷装置１のプリンタ部２の操作部６あるいはネットワーク９上にあるＰＣ８で設定操作が行われると、設定情報を受信したエントリ作成部１２は、その設定情報のエントリ（新規エントリ）を作成する（ステップＳ３１）。そして、新規エントリを受信したエントリ検索部１３は、新規エントリと同一カテゴリに対するエントリが既に登録されているかどうかを検索し（ステップＳ３２）、同一カテゴリで異なる設定元（ユーザ）のエントリが既に登録されているかどうかを判断し（ステップＳ３３）、新規エントリに該当するエントリが登録されていない場合は、新規エントリを登録可能としエントリ登録部１５によって新規エントリを登録して（ステップＳ３４）、キュー１７に格納する。
【００２９】
また、キュー１７に新規エントリに該当するエントリが既に登録されている場合は、その登録されているエントリの設定優先度が新規エントリの設定優先度より低い（ステップＳ３５）ときのみ、エントリ削除部２１によってキュー１７から設定優先度の低いエントリを削除して（ステップＳ３６）、設定不可通知部１４により削除したエントリの設定元へ設定不可を通知する（ステップＳ３７）とともに、新規エントリを登録可能となりエントリ登録部１５によって新規エントリを登録して（ステップＳ３８）キュー１７に格納する。
【００３０】
また、登録されているエントリの優先度が新規エントリの優先度より高い場合、設定不可通知部１４により新規エントリの設定元へ設定不可を通知する（ステップＳ３９）。
【００３１】
そして、設定操作が終了した後、印刷装置１の電源がＯＦＦされるとき、キュー保存部１６はキュー１７に格納されている新規エントリを記憶部１８に保存する。
【００３２】
上述した設定情報保存フロー動作の一例として、Ａさんが印刷装置１の操作部６から、Ｂさんがネットワーク９上のＰＣ８から、ほぼ同時に、それぞれ設定操作を行う場合について、図１１を用いて説明する。いま、Ａさんが印刷装置１の操作部６から設定優先度を付した設定情報、例えば、カテゴリＴＣＰ／ＩＰのオブジェクトであるＩＰアドレスを１９２．１６８．２．１０（図３、設定情報、参照）に設定した場合、まず、エントリ作成部１２において新規エントリ（設定優先度を１０とする）が作成され（ステップＳ３１）、エントリ検索部１３においてキュー１７内のエントリを検索した（ステップＳ３２）結果、新規エントリのＴＣＰ／ＩＰというカテゴリに対し、他の設定元（ユーザ）がエントリ登録をしていない（ステップＳ３３）ので、Ａさんの新規エントリが登録可能となりエントリ登録部１５により登録されて（ステップＳ３４）キュー１７に格納される。
【００３３】
次に、Ｂさんがネットワーク９上のＰＣ８から、設定優先度を付した設定情報、例えば、カテゴリＴＣＰ／ＩＰのオブジェクトであるサブネットマスクを２５５．２５５．０．０（図３、設定情報、参照）に設定操作した場合、エントリ作成部１２において新規エントリ（設定優先度を２０とする）が作成され（ステップＳ３１）、エントリ検索部１３においてキュー１７内のエントリを検索した（ステップ３２）結果、新規エントリのＴＣＰ／ＩＰというカテゴリに対して、異なる設定元（Ａさん）が既にエントリ登録をしている（ステップＳ３３）が、新規エントリの設定優先度（２０）が既にエントリ登録をしているＡさんのエントリの設定優先度（１０）より高い（ステップＳ３５）ので、既に登録されているＡさんのエントリが削除され（ステップＳ３６）、Ａさんに設定不可の通知が行われるとともに、Ｂさんの新規エントリが登録可能となりエントリ登録部１５により登録されて（ステップＳ３８）キュー１７に格納される。
【００３４】
その後、印刷装置１の電源がＯＦＦされると、キュー１７に格納されたＢさんの新規エントリが記憶部１８に保存される。そして、保存されたＢさんのエントリの設定情報に基づいて、次ぎの印刷装置１の各種の設定がなされる。
【００３５】
上述した第２の実施の形態によれば、同一カテゴリの設定情報に設定優先度を付すことで、設定優先度に応じて、既に登録されている設定情報の設定値に対して異なる設定元からの設定情報の設定値を上書きして優先的に登録をすることが可能になるため、ネットワークカードの設定を効率良く行うことができる。
【００３６】
なお、上述した第１，２の実施の形態では、情報装置として印刷装置について述べているが、スキャナ、ＰＣなど、他の情報機器においても、本発明は実施をすることができることは言うまでもない。
【００３７】
【発明の効果】
以上のように、本発明のネットワークカードの設定は、設定情報の各カテゴリに対して特定の設定元（ユーザ）からのみ設定が可能となるため、複数の設定元（ユーザ）が同一カテゴリに対して設定操作をしても、ネットワークカードの設定が不適当になり、ネットワークが使用できない等のネットワーク障害を回避することができるとともに、異なるカテゴリに対して設定を行う場合は、複数の設定元（ユーザ）から設定を行うことが可能となるため、ネットワークの設定が効率良く行えるようになり、ユーザの利便性を向上することができる。
【００３８】
また、設定元（ユーザ）からの設定に対して、設定が不可能の場合は設定不可の通知をすることができるため、ユーザは行った設定が意図どおりに行われているかどうかを知ることができる。
【００３９】
さらに、同一カテゴリの設定情報に設定優先度を付すことにより、設定優先度に応じて、既に登録されている設定情報の設定値に対して、異なる設定元からの設定情報の設定値を上書きすることが可能になるため、ネットワークカードの設定が、一層、効率良く行うことができる。
【図面の簡単な説明】
【図１】本発明のネットワークカードと情報機器（印刷装置）との接続形態を示す概要図。
【図２】本発明のネットワークカードの第１の実施の形態を示すブロック図。
【図３】本発明のネットワークカードの第１の実施の形態におけるエントリの構成を示す図。
【図４】本発明のネットワークカードにおけるキューの構成を示す図。
【図５】本発明のネットワークカードの第１の実施の形態における設定情報のエントリを登録する手順を説明するためのフローチャート。
【図６】本発明のネットワークカードの第１の実施の形態における電源ＯＦＦ時の設定情報保存の手順を説明するためのフローチャート。
【図７】本発明のネットワークカードの第１の実施の形態の一例を説明するための図。
【図８】本発明のネットワークカードの第２の実施の形態を示すブロック図。
【図９】本発明のネットワークカードの第２の実施の形態におけるエントリの構成を示す図。
【図１０】本発明のネットワークカードの第２の実施の形態における設定情報のエントリを登録する手順を説明するためのフローチャート。
【図１１】本発明のネットワークカードの第２の実施の形態の一例を説明するための図。
【符号の説明】
１  印刷装置（情報機器）
２  プリンタ部
３  ネットワークカード
４  プリンタ部２の制御部
５  リンタエンジン部
６  プリンタ２の操作部（ネットワークカード３の設定元）
７  ネットワークカード３の制御部
８  ネットワーク上のパーソナルコンピュータ
９  ネットワーク
１０  プリンタコントロール部
１１  ネットワークコントロール部
１２  エントリ作成部
１３  エントリ検索部
１４  設定不可通知部
１５  エントリ登録部
１６  キュー保存部
１７  キュー
１８  記憶部
１９，２０  内部バス
【図１】
0003881228.tif 000002
【図２】
0003881228.tif 000003
【図３】
0003881228.tif 000004
【図４】
0003881228.tif 000005
【図５】
0003881228.tif 000006
【図６】
0003881228.tif 000007
【図７】
0003881228.tif 000008
【図８】
0003881228.tif 000009
【図９】
0003881228.tif 000010
【図１０】
0003881228.tif 000011
【図１１】
0003881228.tif 000012